(57)【要約】【課題】毛髪やごみ等の堆積により、排水能の低下を防ぐとともに、上記堆積物の除去を簡単に行えるヘアキャッチャーを提供する。【解決手段】格子状リブ１１１を放射状に形成した円錐部１１２と格子状リブ１１１を円筒形に形成した台部１１３とを有する捕集ネット部１１と、上記台部１１３周縁の円周方向に延設された段差を有する捕集リング部１２とからなるヘアキャッチャーであって、該捕集リング部１２は、上記段差の頂部を始点とする傾斜面１２２を有するとともに、該傾斜面１２２の下方に位置する捕集ネット部が切り欠かれたことを特徴とする。【選択図】図１
2005083118.tif 000002
【特許請求の範囲】
【請求項１】
格子状リブを放射状に形成した円錐部と格子状リブを円筒形に形成した台部とを有する捕集ネット部と、上記台部周縁の円周方向に延設された段差を有する捕集リング部とからなるヘアキャッチャーであって、該捕集リング部は、上記段差の頂部を始点とする傾斜面を有するとともに、該傾斜面の下方に位置する捕集ネット部が切り欠かれたことを特徴とするヘアキャッチャー。
【請求項２】
上記段差が垂直立ち上がり部である請求項１に記載のヘアキャッチャー。
【請求項３】
軸を中心に格子状リブを螺旋状に設けた捕集部と、該軸に軸着された仕切り板とからなるヘアキャッチャーであって、上記螺旋状捕集部が上記仕切り板によって仕切られているとともに、上記仕切り板には格子状の開口部が設けられていることを特徴とするヘアキャッチャー。
【請求項４】
上記軸がケレップの軸である請求項３に記載のヘアキャッチャー。
【発明の詳細な説明】
【技術分野】
【０００１】
本発明は、ヘアキャッチャーに関する。さらに詳しくは、洗面ボウル等の排水口に装着して毛髪やごみ等を捕集するのに用いるヘアキャッチャーの構造に関する。
【背景技術】
【０００２】
従来から、洗面ボウル等に落ちた毛髪やごみ等を捕集し、かつ、コンタクトレンズや指輪等の貴重品が排水とともに流されるのを防ぐために、ケレップの中央下部に垂設されたヘアキャッチャーを排水口内に挿入し、ケレップ自体を排水口に開閉自在に嵌着することが行なわれている。図７は、公知のヘアキャッチャー３を示す斜視図であり、図８はその正面図である。図７、図８から明らかなように、ヘアキャッチャー３は、排水口を開閉するケレップ４の軸５に格子状のリブ３１１からなるパラソル型捕集部３１が軸着されてなり、上記軸５には、ケレップ４を排水口に嵌着するための錘６が垂設されている。また、軸５に放射状に軸着されたパラソル型捕集部３１の下部には捕集リング部３２が付設されている。
【０００３】
排水口に流れ込んだ毛髪やごみ等は、ヘアキャッチャー３の格子状リブ３１１に阻まれて捕集部３１によって捕集され、図８に示されているように、捕集リング部３２の上面に堆積する。さらに痰等が加わり、これらの堆積物を放置するとパラソル型捕集部３１の下部に目詰まりが生じ、排水の流れが悪くなるばかりか、不衛生となる。そのために定期的に取り除かなければならないが、毛髪等が互いに絡まり、また、格子状リブ３１１や、捕集リング部３２にまとわりつくため、清掃し難いという問題がある。
【特許文献１】特開平１０−８８６３８号公報（第１−３頁、第１図）
【特許文献２】特開２００２−８８８５５号公報（１−３頁、第１図、第３図）
【発明の開示】
【発明が解決しようとする課題】
【０００４】
本発明は、上記問題を解決するためになされたものであって、毛髪やごみ等の堆積による排水能の低下を防ぐとともに、上記堆積物の除去を簡単に行えるヘアキャッチャーを提供することを、その課題とする。
【課題を解決するための手段】
【０００５】
本発明は、上記課題を解決するために考え出されたものであって、つぎのような技術的手段を講じている。すなわち、本願第一発明によれば、格子状リブを放射状に形成した円錐部と格子状リブを円筒形に形成した台部とを有する捕集ネット部と、上記台部周縁の円周方向に延設された段差を有する捕集リング部とからなるヘアキャッチャーであって、該捕集リング部は、上記段差の頂部を始点とする傾斜面を有するとともに、該傾斜面の下方に位置する捕集ネット部が切り欠かれたことを特徴とするヘアキャッチャーが提供される。好ましくは、上記段差が垂直立ち上がり部とされる。
【０００６】
本願第二発明によれば、軸を中心に格子状リブを螺旋状に設けた捕集部と、該軸に軸着された仕切り板とからなるヘアキャッチャーであって、上記螺旋状捕集部が上記仕切り板によって仕切られているとともに、上記仕切り板には格子状の開口部が設けられていることを特徴とするヘアキャッチャーが提供される。好ましくは、上記軸がケレップの軸とされる。
【発明の効果】
【０００７】
請求項１に記載第一発明は上記のとおりであり、とくに、捕集リング部が、段差の頂部を始点とする傾斜面を有しているため、排水が方向性を持って流れ、水流に同伴した毛髪やごみ等は、上記捕集リング部の上に堆積し、容易に取り除くことができるとともに、排水は、堆積物に妨げられることなく捕集ネット部から排出される。また、上記段差が垂直立ち上がり部とされているため、その頂点から傾斜面を効果的に設けることができる。
【０００８】
請求項３に記載の第二発明は上記のとおりであり、とくに、上記螺旋状捕集部を仕切る仕切り板に格子状の開口部が設けられているため、仕切り板によってせき止められた毛髪やごみ等が螺旋状捕集部の下部に堆積しても、排水は仕切り板の格子状の開口部から流出するため排水能の低下を防ぐことができる。また、螺旋状捕集部を軸着する軸がケレップの軸とされているため、ケレップと螺旋状捕集部と仕切り板とを一体的に形成することができる。
【発明を実施するための最良の形態】
【０００９】
以下、本発明の実施形態について図面を参照して、詳細に説明する。図１は、第一発明にかかるヘアキャッチャー１を示す斜視図である。図１において、ヘアキャッチャー１は、排水口を開閉するケレップ４の軸５に軸着され、さらに該軸５には、ケレップ４を排水口に嵌着するための錘６が垂設されている。ヘアキャッチャー１は、格子状リブ１１１を放射状に形成した円錐部１１２と格子状リブ１１１を円筒形に形成した台部１１３とからなる捕集ネット部１１と、上記台部１１３周縁の円周方向に延設された段差を有する捕集リング部１２とから構成されている。
【００１０】
図２は、図１に示すヘアキャッチャー１の正面図である。図３は図２におけるＡ−Ａ線に沿う平面図である。図１、図２からよくわかるように、上記捕集リング部１２は、段差としての垂直立ち上がり部１２１の頂部を始点とする傾斜面１２２を有し、この傾斜面１２２の下方に位置する捕集ネット部１１は切り欠かれている。洗面ボウルで水を使った後、排水口を流下した排水は傾斜面１２２に当って図２に矢印で示すように、方向性を持って流れ、毛髪やごみ等は、捕集ネット部１１の台部１１３の周囲に水流と平行して堆積する。したがって、毛髪やごみ等は、図３に示すように捕集リング部１２の上に堆積し、排水は、これら堆積物に妨げられることなく捕集ネット部１１から流出するため、排水能が低下することはない。また、捕集リング部１２の上に堆積した毛髪、ごみ等も容易に取り除くことができる。
【００１１】
図４は、第二発明にかかるヘアキャッチャー２を示す斜視図である。図４において、ヘアキャッチャー２は、排水口を開閉するケレップ４の軸５に軸着され、さらに軸５には、ケレップ４を排水口に嵌着するための錘６が垂設されている。図４によく示されているように、ヘアキャッチャー２は、ケレップ４の軸５を中心に格子状リブ２１１を螺旋状に設けた捕集部２１と、軸５に軸着された仕切り板２２とからなり、上記仕切り板２２には格子状の開口部２２１が設けられている。
【００１２】
図５は、図４に示すヘアキャッチャー２の正面図である。図６は、図５におけるＢ−Ｂ線に沿う平面図である。洗面ボウルで水を使った後、排水口に流された排水は螺旋状の捕集部２１を流下する。このとき、排水の一部は螺旋状に流れるため、毛髪やごみ等もこの水流とともに流され、捕集部２１で捕集されるとともに、仕切り板２２によってせき止められる。せき止められた毛髪やごみ等は、図６に示すように螺旋状捕集部２１の下部に堆積するが、排水は仕切り板２２の格子状の開口部２２１から流出するため排水能が低下することはない。また、毛髪が軸５に絡みつくことも少ないため、毛髪やごみ等の堆積物を容易に取り除くことができる。
【００１３】
以上説明したように、本願第一発明、第二発明にかかるヘアキャッチャー１、２は、ケレップ４および錘６と、軸５を介して一体的に形成され、洗面ボウル等の排水口に着脱自在に装着される。その結果、排水の流れを妨げることなく毛髪やごみ等を効率よく捕集することができるとともに、堆積した毛髪やごみ等の定期的な除去が簡単となり、使用者の負担を少なくすることができる。
【図面の簡単な説明】
【００１４】
【図１】第一発明にかかるヘアキャッチャーを示す斜視図である。
【図２】図１に示すヘアキャッチャーの正面図である。
【図３】図２におけるＡ−Ａ線に沿う平面図である。
【図４】第二発明にかかるヘアキャッチャーを示す斜視図である。
【図５】図４に示すヘアキャッチャーの正面図である。
【図６】図５におけるＢ−Ｂ線に沿う平面図である。
【図７】公知のヘアキャッチャーを示す斜視図である。
【図８】公知のヘアキャッチャーを示す正面図である。
【符号の説明】
【００１５】
１          第一発明にかかるヘアキャッチャー
１１        捕集ネット部
１１１      格子状リブ
１１２      円錐部
１１３      台部
１２        段差を有する捕集リング部
１２１      垂直立ち上り部
１２２      傾斜面
２          第二発明にかかるヘアキャッチャー
２１        螺旋状捕集部
２１１      格子状リブ
２２        仕切り板
２２１      開口部
３          公知のヘアキャッチャー
３１        パラソル型捕集部
３１１      格子状リブ
３２        捕集リング部
４          ケレップ
５          ケレップの軸
６          錘
【図１】
2005083118.tif 000003
【図２】
2005083118.tif 000004
【図３】
2005083118.tif 000005
【図４】
2005083118.tif 000006
【図５】
2005083118.tif 000007
【図６】
2005083118.tif 000008
【図７】
2005083118.tif 000009
【図８】
2005083118.tif 000010